(57)【要約】      （修正有）【課題】物品が長く計量トレイの上に留まるのを防止でき、物品の排出工程が煩雑となるのを抑制した組合せ計量装置を提供する。【解決手段】この組合せ計量装置１は、計量器２１〜２１０と、選択表示器３１〜３１０と、計量開始スイッチ４と、入力デバイス５と、表示デバイス６と、計量器２１〜２１０に物品を計量させるとともに単重量を記憶し、計量回数が最も多い計量器における単重量とその他の計量器おける単重量とを組合せた試算合計重量が設定値と許容値で規定される範囲にあって最も設定値に近いものを選択するよう繰り返し処理を用いて試行し、設定値と許容値で規定される範囲の試算合計重量が存在するときは選択表示器３１〜３１０において選択成功の表示を、設定値と許容値で規定される範囲の試算合計重量が存在しないときは計量回数が最も多い計量器に対応する選択表示器に選択失敗の表示を行うよう制御する計量コントローラー７とを備える。【選択図】図１
2019066429.tif 000002
【特許請求の範囲】
【請求項１】
計量トレイを有し該計量トレイ上の物品を計量する複数個の計量器と、
該複数個の計量器の各々に対して設けられ、選択成功の表示と選択失敗の表示を可能とする複数個の選択表示器と、
前記計量器の計量を開始させる計量開始スイッチと、
少なくとも組合せの合計重量の設定値と許容値を定める入力がされる入力デバイスと、
少なくとも前記設定値と前記許容値が表示される表示デバイスと、
前記計量開始スイッチがオンされると、前記複数個の計量器に各々の物品を計量させるとともに計量結果である単重量を記憶し、計量回数が最も多い前記計量器における前記単重量とその他の前記計量器における前記単重量とを組合せた試算合計重量が前記設定値と前記許容値で規定される範囲にあって最も前記設定値に近いものを選択するよう繰り返し処理を用いて試行し、前記設定値と前記許容値で規定される範囲の前記試算合計重量が存在するときは前記複数個の選択表示器において選択成功の表示を、前記設定値と前記許容値で規定される範囲の前記試算合計重量が存在しないときは前記計量回数が最も多い前記計量器に対応する前記選択表示器に選択失敗の表示を行うよう制御する計量コントローラーとを備えることを特徴とする組合せ計量装置。
【請求項２】
請求項１に記載の組合せ計量装置において、
前記計量コントローラーは、前記設定値と前記許容値を少なくとも記憶する制御データ記憶部、前記複数個の計量器における前記計量回数と前記単重量を記憶する計量データテーブル、及び該計量データテーブルを前記計量回数の多い順に並び替えて生成される並び替え計量データテーブルを有し、
前記制御データ記憶部は、ビットの下から順に前記並び替え計量データテーブルの順番が対応し、前記繰り返し処理ごとに２が足される仮選択パターンを記憶することを特徴とする組合せ計量装置。
【請求項３】
請求項１又は２に記載の組合せ計量装置において、
前記計量トレイは、前記計量器ごとに配色されており、
前記表示デバイスは、前記計量器ごとの前記計量トレイと実質的に同色であり前記計量器を示す図形を表示することを特徴とする組合せ計量装置。
【発明の詳細な説明】
【技術分野】
【０００１】
本発明は、組合せ計量装置に関する。
【背景技術】
【０００２】
組合せ計量装置は、複数個の計量トレイ（秤皿）を有しており、計量トレイの上に載せた物品を計量し、それらのうちで組み合わせた合計重量が目標の範囲内となる複数個の物品を選択して表示や排出などを行うものである。物品は、例えば、魚、貝、果物、トマト、ピーマン、ナスなどの野菜等のものである。組合せ計量装置には、複数個の物品を計量トレイの上に載せる工程と選択された複数個の物品を計量トレイの上から排出して収集する工程の両方を自動で行う自動式のものと、前者の工程を人手で行い後者の工程を自動で行う半自動式のものと、両方の工程を人手で行う手動式のものとが有る。これらの方式には、それぞれの利点が有るが、手動式のものは、組合せ計量装置がコンパクトになる上に、物品の外観検査などを同時に行うことができ、また、物品にダメージを与えないようなハンドリングを行うことができる。
【０００３】
また、組合せ計量装置の中には、物品の中で長く計量トレイの上に留まっていると鮮度が低下し易いもののため、長く留まっている物品は優先的に選択するようにしたものが知られている。例えば、特許文献１には、長く留まっている物品は優先的に選択するようにし、一定回数選択されない物品は、選択された物品とは独立に別な表示方法で表示する組合せ計量装置が開示されている。
【先行技術文献】
【特許文献】
【０００４】
【特許文献１】特開平２−１６５０１９号公報
【発明の概要】
【発明が解決しようとする課題】
【０００５】
しかしながら、特許文献１に開示の組合せ計量装置は、一定回数選択されない物品と選択された物品がほぼ同時に表示される場合も有り、計量トレイの上からの物品の排出工程が作業者にとって煩雑であり、ミスも起こり易い。
【０００６】
一方、多くの物品の大きさが大略揃っている場合や目標の重量の範囲がある程度広かったりする場合などでは、著しく他の物品と大きさが異なり他の物品と組み合わせができない例外的なものは、通常は少ない場合も多い。
【０００７】
本発明は、係る事由に鑑みてなされたものであり、その目的は、手動式のものであって、物品が長く計量トレイの上に留まるのを防止でき、計量トレイの上からの物品の排出工程が作業者にとって煩雑となるのを抑制した組合せ計量装置を提供することにある。
【課題を解決するための手段】
【０００８】
上記目的を達成するために、請求項１に記載の組合せ計量装置は、計量トレイを有し該計量トレイ上の物品を計量する複数個の計量器と、該複数個の計量器の各々に対して設けられ、選択成功の表示と選択失敗の表示を可能とする複数個の選択表示器と、前記計量器の計量を開始させる計量開始スイッチと、少なくとも組合せの合計重量の設定値と許容値を定める入力がされる入力デバイスと、少なくとも前記設定値と前記許容値が表示される表示デバイスと、前記計量開始スイッチがオンされると、前記複数個の計量器に各々の物品を計量させるとともに計量結果である単重量を記憶し、計量回数が最も多い前記計量器における前記単重量とその他の前記計量器における前記単重量とを組合せた試算合計重量が前記設定値と前記許容値で規定される範囲にあって最も前記設定値に近いものを選択するよう繰り返し処理を用いて試行し、前記設定値と前記許容値で規定される範囲の前記試算合計重量が存在するときは前記複数個の選択表示器において選択成功の表示を、前記設定値と前記許容値で規定される範囲の前記試算合計重量が存在しないときは前記計量回数が最も多い前記計量器に対応する前記選択表示器に選択失敗の表示を行うよう制御する計量コントローラーとを備えることを特徴とする。
【０００９】
請求項２に記載の組合せ計量装置は、請求項１に記載の組合せ計量装置において、前記計量コントローラーは、前記設定値と前記許容値を少なくとも記憶する制御データ記憶部、前記複数個の計量器における前記計量回数と前記単重量を記憶する計量データテーブル、及び該計量データテーブルを前記計量回数の多い順に並び替えて生成される並び替え計量データテーブルを有し、前記制御データ記憶部は、ビットの下から順に前記並び替え計量データテーブルの順番が対応し、前記繰り返し処理ごとに２が足される仮選択パターンを記憶することを特徴とする。
【００１０】
請求項３に記載の組合せ計量装置は、請求項１又は２に記載の組合せ計量装置において、前記計量トレイは、前記計量器ごとに配色されており、前記表示デバイスは、前記計量器ごとの前記計量トレイと実質的に同色であり前記計量器を示す図形を表示することを特徴とする。
【発明の効果】
【００１１】
本発明の組合せ計量装置によれば、手動式のものであって、物品が長く計量トレイの上に留まるのを防止できるとともに、計量トレイの上からの物品の排出工程が作業者にとって煩雑となるのを抑制可能になる。
【図面の簡単な説明】
【００１２】
【図１】本発明の実施形態に係る組合せ計量装置の構成を示すブロック図である。
【図２】同上の組合せ計量装置の複数個の計量器と複数個の選択表示器の概略の外観を示す平面図である。
【図３】同上の組合せ計量装置の表示デバイスの表示を例示の数値とともに示す図である。
【図４】同上の組合せ計量装置の計量コントローラーを示すブロック図である。
【図５】同上の組合せ計量装置のデータ記憶部の制御データ記憶部が記憶するデータを示すものであって、（ａ）が構成図、（ｂ）が数値の例示の図である。
【図６】同上の組合せ計量装置の計量データテーブルと並び替え計量データテーブルを例示の数値とともに示す図である。
【図７】同上の組合せ計量装置の動作のフロー図である。
【図８】同上の組合せ計量装置の繰り返し処理の動作を例示の数値とともに示す図である。
【発明を実施するための形態】
【００１３】
以下、本発明を実施するための形態を説明する。本発明の実施形態に係る組合せ計量装置１は、図１に示すように、複数個の計量器２１〜２１０と、複数個の選択表示器３１〜３１０と、計量開始スイッチ４と、入力デバイス５と、表示デバイス６と、計量コントローラー７と、を備えるものである。組合せ計量装置１は、手動式のものである。
【００１４】
計量器２１〜２１０の各々は、図２に示すように、計量トレイ２ａを有しており、計量トレイ２ａ上の物品を計量するものである。計量器の数は、本実施形態では、縦２個、横５個の総数１０個であるが、作業者にとってハンドリングが難しくならない限りは、自由に縦、横の個数や総数は変更可能である。また、計量トレイ２ａの形状及び大きさ、計量トレイ２ａ、２ａ同士の間隔は、計測される物品に応じて適宜変更可能である。また、計量トレイ２ａは、計量器ごとに配色が可能である。
【００１５】
計量器２１〜２１０の各々は、計量結果、すなわち計量値（以下、単重量）のデータを計量コントローラー７に送出する。
【００１６】
選択表示器３１〜３１０は、複数個の計量器２１〜２１０の各々に対して設けられている。選択表示器３１〜３１０は、計量コントローラー７により制御される。選択表示器３１〜３１０の各々は、複数個（図２中では６個）又は１個のＬＥＤ３ａによって構成することができる。ＬＥＤ３ａは、多色発光可能なものとすることができる。選択表示器３１〜３１０の各々は、選択成功の表示と選択失敗の表示が可能である。例えば、選択表示器３１〜３１０の各々を複数個の多色発光可能なＬＥＤ３ａによって構成した場合、選択成功の表示は、選択表示器３１〜３１０のうち選択された計量器２１〜２１０に対応するものにおいては赤色が左から右に移って行きそれを繰り返すように点灯し、選択されない計量器２１〜２１０に対応するものにおいては特定の色が変化しないで点灯し続けるようにできる。また、選択失敗の表示は、後述するように、選択表示器３１〜３１０のうち計量回数が最も多い計量器に対応するものが消灯するようにできる。選択成功の表示と選択失敗の表示は、様々な態様が可能である。選択成功の表示と選択失敗の表示は、次に述べる計量開始スイッチ４が押されると、終了する。  
【００１７】
計量開始スイッチ４は、計量器２１〜２１０の計量を開始させるものであり、特に限定されるものではないが、フットスイッチを用いることができる。フットスイッチは、作業者が物品を排出して新しい代わりの物品を計量トレイ２ａの上に載せたら直ちに計量開始を行うことができる。例えばフットスイッチが押されることで、計量開始スイッチ４はオンになり、そのオン信号は、計量コントローラー７に入力される。
【００１８】
入力デバイス５は、少なくとも、組合せの合計重量の設定値と許容値を定める入力がされるものである。設定値は、組合せの合計重量の下限値であり、最も望ましい重量である。設定値は、通常、組み合わされた物品が組合せ計量装置１から人手により排出され袋等に詰められたときに、その数値が消費者向けに付される。一方、設定値と許容値を足した値は、組合せの合計重量の上限値となる。許容値は、物品を販売する者等が決定するものである。入力デバイス５は、その入力に対応するデータ（数値データやコマンドデータなど）を計量コントローラー７に送る。入力デバイス５は、リモコンとし、計量コントローラー７にリモコン受信器を設けることで、無線でデータを計量コントローラー７に送るようにできる。
【００１９】
表示デバイス６は、計量コントローラー７により制御される。表示デバイス６は、例えば、ＬＣＤディスプレイなどである。表示デバイス６と上記の入力デバイス５を、一体型にすることも可能である。表示デバイス６は、少なくとも、上記の設定値と許容値が表示される。例えば、設定値が３００ｇ、許容値が７０ｇの場合、図３に示すように、画面の右上において、３００が設定値であることが表示され、許容値が７０であることが表示される。
【００２０】
また、表示デバイス６は、複数個の計量器２１〜２１０の各々に対応してその計量値を表示したり、選択表示器３１〜３１０の表示に対応して選択成功の表示と選択失敗の表示をしたりすることができる。例えば、図３に示すように、画面の下半分に、計量器２１〜２１０の配置に合わせて計量器を示す図形（本実施形態では長方形）の中に計量器の番号（１〜１０）を表示し、計量器を示す図形の上にＬＥＤを模した図形を表示し、その上に計量した単重量（図中では、９６、６３、５２、７０、４８、８５、７５、１０７、９６、７６）を表示することができる。また、選択成功の表示は、選択された計量器２１〜２１０に対応するＬＥＤを模した図形において赤色が左から右に移って行きそれを繰り返すように表示し、選択されない計量器２１〜２１０に対応するＬＥＤを模した図形においては特定の色が変化せずに表示し続けるようにできる。また、選択失敗の表示は、計量回数が最も多い計量器に対応するものが消えるようにできる。なお、選択成功の表示と選択失敗の表示を含め、画面における表示は、様々な態様が可能である。
【００２１】
また、複数個の計量器２１〜２１０ごとに、その計量トレイ２ａを配色する場合、計量器を示す図形（本実施形態では長方形）などを各計量器２１〜２１０の計量トレイ２ａと実質的に同色のものとすることができる。これにより、表示デバイス６における表示と複数個の計量器２１〜２１０の各々との対応関係を明確にし、作業者のミスを抑制することができる。
【００２２】
計量コントローラー７は、図４に示すように、ハードウェアとして、ＣＰＵ７０、主記憶部７１、補助記憶部７２、インターフェイス部７３などを備える。主記憶部７１は、プログラムを記憶するプログラム記憶部７１ａとデータを記憶するデータ記憶部７１ｂからなる。主記憶部７１は、通常、ＤＲＡＭなどの揮発性メモリが用いられる。補助記憶部７２は、電源オン時に主記憶部７１に送られて記憶されるプログラムやデータの一部を電源オフ時に記憶するものであり、ＳＳＤなどの不揮発性の記憶装置が用いられる。
【００２３】
データ記憶部７１ｂは、制御データ記憶部７１ｂａと計量データテーブル７１ｂｂと並び替え計量データテーブル７１ｂｃを有する（図４参照）。
【００２４】
制御データ記憶部７１ｂａは、図５（ａ）に示すように、設定値と許容値などを記憶する。本実施形態では、制御データ記憶部７１ｂａは、設定値と許容値の他に、仮選択パターン、試算合計重量、最適候補合計重量、最適候補パターンを記憶する。なお、図５（ｂ）は、後述する処理３における制御データ記憶部７１ｂａを例示したものであり、図の左側が初期値、右側が最終値である。
【００２５】
計量データテーブル７１ｂｂは、図６の左側に示すように、複数個の計量器２１〜２１０を番号順に並べ、その計量回数と単重量を記憶する。計量器の計量回数とは、計量トレイ２ａ上に載せた物品ごとの計量回数であり、物品が新しくなると初期値（１）になる。図６の左側に例示されるものでは、計量器２１〜２１０の順に計量回数が２、３、１、３、４、２、２、１、１、１であり、単重量（単位はｇ）が９６、６３、５２、７０、４８、８５、７５、１０７、９６、７６である。
【００２６】
並び替え計量データテーブル７１ｂｃは、図６の右側に示すように、計量データテーブル７１ｂｂを計量回数の多い順に並び替えて生成するものである。図６の右側に例示されるものでは、計量器２５、２２、２４、２１、２６、２７、２３、２８、２９、２１０の順に並び替えられる。なお、計量回数が同じ場合、本実施形態では計量器の番号が小さいものの方が多い計量回数（優先順位が上位）であるとしているが、これに限られるものではない。
【００２７】
制御データ記憶部７１ｂａの仮選択パターンは、ビットの下から順に並び替え計量データテーブル７１ｂｃの順番が対応している。つまり、詳細には、仮選択パターンの最下位ビットに並び替え計量データテーブル７１ｂｃの計量回数が最も多い計量器が対応しており、仮選択パターンの下位から２番目のビットに並び替え計量データテーブル７１ｂｃの計量回数が２番目に多い計量器が対応している。仮選択パターンの下位から３番目以降についても同様である。ビットの値が１ならば、対応する計量器が仮選択される。
【００２８】
インターフェイス部７３は、複数個の計量器２１〜２１０と複数個の選択表示器３１〜３１０と計量開始スイッチ４と入力デバイス５と表示デバイス６との間でデータ又は信号の入出力を行う部分である。
【００２９】
計量コントローラー７は、プログラム記憶部７１ａに記憶されたプログラムに基づいて、データ記憶部７１ｂ及びインターフェイス部７３を用いて以下に述べる各処理を行う。すなわち、計量コントローラー７は、図７に示すように、計量開始スイッチ４がオンされるとそれを検知し（処理Ｓ１）、複数個の計量器２１〜２１０に各々の物品の計量を開始させる（処理Ｓ２前半）。複数個の計量器２１〜２１０が計量した値（単重量）は、計量データテーブル７１ｂｂに記憶される（処理Ｓ２後半）。
【００３０】
次に、計量コントローラー７は、計量回数が最も多い計量器の単重量とその他の計量器の単重量とを組合せた試算合計重量が、設定値と許容値で規定される範囲にあって最も設定値に近いものを選択するよう、繰り返し処理を用いて試行する（処理Ｓ３）。ここで、当然ではあるが、設定値と許容値で規定される範囲にあって最も設定値に近いものには、設定値と同じものが含まれる。次に、計量コントローラー７は、設定値と許容値で規定される範囲の試算合計重量が存在するときは複数個の選択表示器３１〜３１０において選択成功の表示（処理４）を、設定値と許容値で規定される範囲の試算合計重量が存在しないときは計量回数が最も多い計量器に対応する選択表示器に選択失敗の表示（処理５）を行うよう制御する。
【００３１】
この処理Ｓ３は、詳細には、以下のようにして行うことができる。すなわち、先ず、計量データテーブル７１ｂｂを計量回数の多い順に並び替えて、並び替え計量データテーブル７１ｂｃを生成する（処理Ｓ３０１）。
【００３２】
そして、仮選択パターンと最適候補合計重量を初期化しておく（処理Ｓ３０２）。仮選択パターンの初期値は１（２進表現で０００００００００１）である。最適候補合計重量の初期値は、想定できる値を超える値（本実施形態では、９９９）にする。
【００３３】
繰り返し処理（処理Ｓ３０３〜Ｓ３０９）内に入って、仮選択パターンに対応する計量器を仮選択し、その物品の試算合計重量を求める（処理Ｓ３０３）。次に、処理Ｓ３０４で、試算合計重量が設定値以上かどうかを判断し、設定値以上ならば処理Ｓ３０５に移り、設定値以上でないならば処理Ｓ３０８に飛ぶ。処理Ｓ３０５では、試算合計重量が設定値に許容値を足した値以下かどうかを判断し、設定値に許容値を足した値以下ならば処理Ｓ３０６に移り、設定値に許容値を足した値以下でないならば処理Ｓ３０８に飛ぶ。処理Ｓ３０６では、試算合計重量が最適候補合計重量よりも小さいかどうかを判断し、小さいならば処理Ｓ３０７に移り、小さくないならば処理Ｓ３０８に飛ぶ。処理Ｓ３０７では、最適候補合計重量を入れ替えて試算合計重量の値にし、かつ、最適候補パターンの値を入れ替えて仮選択パターンの値にする。次の処理Ｓ３０８では、仮選択パターンに２を足す。次の処理Ｓ３０９では、仮選択パターンが１０２３（２進表現で１１１１１１１１１１）を超えていないと、処理Ｓ３０３に飛んで次の繰り返し処理を始め、超えていると、全ての組み合わせが終了したので、繰り返し処理を抜けて処理Ｓ３１０に移る。処理Ｓ３１０では、最適候補合計重量が初期値のままかどうかを判断し、初期値から変わっていれば処理Ｓ３１１を経て選択成功の表示を行う処理Ｓ４に移り、変わっていなければ選択失敗の表示を行う処理Ｓ５に移る。処理Ｓ３１１では、最適候補パターンに対応して計量データテーブルの計量回数を更新する。つまり、処理Ｓ３１１では、最適候補に入った計量器の計量回数を初期値、つまり１とし、最適候補に入らなかった計量器の計量回数を増加させる。
【００３４】
例えば、この繰り返し処理（処理Ｓ３０３〜Ｓ３０９）は、設定値に３００、許容値に７０を用い、また、図６の右側に示した並び替え計量データテーブル７１ｂｃの数値を用いると、図８に示すようになる。すなわち、最初の繰り返し処理では、仮選択パターンは１なので、計量回数が最も多い計量器２５のみを仮選択する。その試算合計重量を求めると、４８になる（処理３０３）。次の処理Ｓ３０４では、試算合計重量である４８は設定値の３００以上でないので、処理Ｓ３０８に飛ぶ。処理Ｓ３０８では、仮選択パターンは３になる。処理Ｓ３０９では、仮選択パターンが１０２３を超えていないので、処理Ｓ３０３に飛んで２番目の繰り返し処理を始める。２番目の繰り返し処理では、計量器２５と計量器２２を仮選択する。その試算合計重量を求めると、１１１になる（処理３０３）。次の処理Ｓ３０４では、試算合計重量である１１１は設定値の３００以上でないので、処理Ｓ３０８に飛ぶ。処理Ｓ３０８では、仮選択パターンは５になる。処理Ｓ３０９では、仮選択パターンが１０２３を超えていないので、処理Ｓ３０３に飛んで３番目の繰り返し処理を始める。同様にして、３番目〜１５番目の繰り返し処理を行う。
【００３５】
１６番目の繰り返し処理では、計量器２５、計量器２２、計量器２４、計量器２１、計量器２６を仮選択する。その試算合計重量を求めると、３６２になる（処理３０３）。次の処理Ｓ３０４では、試算合計重量である３６２は設定値の３００以上であるので、処理Ｓ３０５に移る。処理Ｓ３０５では、試算合計重量である３６２は設定値の３００に許容値の７０を足した値である３７０以下であるので、処理Ｓ３０６に移る。処理Ｓ３０６では、試算合計重量である３６２が最適候補合計重量の初期値である９９９よりも小さいので、処理Ｓ３０７に移る。処理Ｓ３０７では、最適候補合計重量を試算合計重量の値である３６２にし、かつ、最適候補パターンの値をこのときの仮選択パターンである３１にする。次の処理Ｓ３０８では、仮選択パターンは３３になる。処理Ｓ３０９では、仮選択パターンが１０２３を超えていないので、処理Ｓ３０３に飛んで１７番目の繰り返し処理を始める。以下、同様にして、繰り返し処理を試算合計重量に応じて行う。
【００３６】
８３番目の繰り返し処理では、計量器２５、計量器２４、計量器２７、計量器２８を仮選択する。その試算合計重量を求めると、３００になる（処理３０３）。次の処理Ｓ３０４では、試算合計重量である３００は設定値の３００以上であるので、処理Ｓ３０５に移る。処理Ｓ３０５では、試算合計重量である３００は設定値の３００に許容値の７０を足した値である３７０以下であるので、処理Ｓ３０６に移る。処理Ｓ３０６では、試算合計重量である３００が最適候補合計重量である３０３よりも小さいので、処理Ｓ３０７に移る。処理Ｓ３０７では、最適候補合計重量を試算合計重量の値である３００にし、かつ、最適候補パターンの値をこのときの仮選択パターンである１６５にする。次の処理Ｓ３０８では、仮選択パターンは１６７になる。処理Ｓ３０９では、仮選択パターンが１０２３を超えていないので、処理Ｓ３０３に飛んで８４番目の繰り返し処理を始める。以下、同様にして、繰り返し処理を試算合計重量に応じて行う。
【００３７】
５１２番目の繰り返し処理では、計量器２の全てを仮選択する。その試算合計重量を求めると、７６８になる（処理３０３）。次の処理Ｓ３０４では、試算合計重量である７６８は設定値の３００以上であるので、処理Ｓ３０５に移る。処理Ｓ３０５では、試算合計重量である７６８は設定値の３００に許容値の７０を足した値である３７０以下でないので、処理Ｓ３０８に飛ぶ。処理Ｓ３０８では、仮選択パターンは１０２５になる。処理Ｓ３０９では、仮選択パターンが１０２３を超えているので、処理Ｓ３１０に移る。
【００３８】
処理Ｓ３１０では、最適候補合計重量が初期値である９９９から変わっており、つまり、設定値と許容値で規定される範囲の試算合計重量が存在しているので、処理Ｓ３１１を経て処理４で選択成功の表示を行う。一方、処理Ｓ３１０で、もし、最適候補合計重量が初期値である９９９から変わっていなければ、設定値と許容値で規定される範囲の試算合計重量が存在していないことになるので、処理５で選択失敗の表示を行うことになる。
【００３９】
処理Ｓ３１１では、最適候補パターンの１６５（２進表現で００１０１００１０１）に対応して計量データテーブル７１ｂｃにおいて、最適候補パターンの組み合わせである計量器２５、計量器２４、計量器２７、計量器２８の計量回数を初期値、つまり１とし、最適候補パターンの組み合わせでない計量器２２、計量器２１、計量器２６、計量器２３、計量器２９、計量器２１０の計量回数を増加させる。
【００４０】
なお、選択成功の表示（処理Ｓ４）及び選択失敗の表示（処理Ｓ５）の際に、音を違えて発生するようにしてもよい。例えば、選択成功のときはピンポン音、選択失敗のときはブザー音とすることができる。この場合、図示は省略しているが、ピンポン音やブザー音の音源は、表示デバイス６などに設けることが可能である。
【００４１】
このように、組合せ計量装置１は、選択される計量器には必ず計量回数が最も多い計量器が含まれるので、物品が長く計量トレイ２ａの上に留まるのを防止できる。また、試算合計重量が同じならば、物品が長く計量トレイ２ａの上に留まっている計量器の方が選択されるので、このことによっても、物品が長く計量トレイの上に留まるのを防止できる。
【００４２】
組合せ計量装置１の作業者は、設定値と許容値を定めた後は、空いている計量トレイ２ａの上に物品を載せ、例えばフットスイッチを踏み、選択成功又は選択失敗で指示される物品を排出して選択成功のときは袋等に詰め、選択失敗のときは例えば特定場所に仮保管するという作業を繰り返す。このように、作業者の手順が簡便であり、特に、選択成功と選択失敗のどちらかが表示されるので、計量トレイ２ａの上からの物品の排出工程が作業者にとって煩雑となるのを抑制可能になる。
【００４３】
以上、本発明の実施形態について説明したが、本発明は、実施形態に記載したものに限られることなく、特許請求の範囲に記載した事項の範囲内でのさまざまな設計変更が可能である。
【符号の説明】
【００４４】
１    組合せ計量装置
２１〜２１０  計量器
２ａ  計量トレイ
３１〜３１０  選択表示器
３ａ  ＬＥＤ
４    計量開始スイッチ
５    入力デバイス
６    表示デバイス
７    計量コントローラー
７０  ＣＰＵ
７１  主記憶部
７１ａ  プログラム記憶部
７１ｂ  データ記憶部
７１ｂａ  制御データ記憶部
７１ｂｂ  計量データテーブル
７１ｂｃ  並び替え計量データテーブル
７２  補助記憶部
７３  インターフェイス部
【図１】
2019066429.tif 000003
【図２】
2019066429.tif 000004
【図３】
2019066429.tif 000005
【図４】
2019066429.tif 000006
【図５】
2019066429.tif 000007
【図６】
2019066429.tif 000008
【図７】
2019066429.tif 000009
【図８】
2019066429.tif 000010
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
計量トレイを有し該計量トレイ上の物品を計量する複数個の計量器と、
該複数個の計量器の各々に対して設けられ、選択成功の表示と選択失敗の表示を可能とする複数個の選択表示器と、
前記計量器の計量を開始させる計量開始スイッチと、
少なくとも組合せの合計重量の設定値と許容値を定める入力がされる入力デバイスと、
少なくとも前記設定値と前記許容値が表示される表示デバイスと、
前記複数個の計量器の前記計量トレイ上に載せた物品ごとであって該物品が新しくなると初期値になる計量回数を記憶し、前記計量開始スイッチがオンされると、前記複数個の計量器に各々の物品を計量させるとともに計量結果である単重量を記憶し、前記計量回数が最も多い前記計量器における前記単重量とその他の前記計量器における前記単重量とを組合せた試算合計重量が前記設定値と前記許容値で規定される範囲にあって最も前記設定値に近いものを選択するよう繰り返し処理を用いて試行し、前記設定値と前記許容値で規定される範囲の前記試算合計重量が存在するときは前記複数個の選択表示器において選択成功の表示を、前記設定値と前記許容値で規定される範囲の前記試算合計重量が存在しないときは前記計量回数が最も多い前記計量器に対応する前記選択表示器に選択失敗の表示を行うよう制御する計量コントローラーとを備えることを特徴とする組合せ計量装置。
【請求項２】
請求項１に記載の組合せ計量装置において、
前記計量コントローラーは、前記設定値と前記許容値を少なくとも記憶する制御データ記憶部、前記複数個の計量器における前記計量回数と前記単重量を記憶する計量データテーブル、及び該計量データテーブルを前記計量回数の多い順に並び替えて生成される並び替え計量データテーブルを有し、
前記制御データ記憶部は、ビットの下から順に前記並び替え計量データテーブルの順番が対応し、前記繰り返し処理ごとに２が足される仮選択パターンを記憶することを特徴とする組合せ計量装置。
【請求項３】
請求項１又は２に記載の組合せ計量装置において、
前記計量トレイは、前記計量器ごとに配色されており、
前記表示デバイスは、前記計量器ごとの前記計量トレイと実質的に同色であり前記計量器を示す図形を表示することを特徴とする組合せ計量装置。
【手続補正２】
【補正対象書類名】明細書
【補正対象項目名】０００８
【補正方法】変更
【補正の内容】
【０００８】
上記目的を達成するために、請求項１に記載の組合せ計量装置は、計量トレイを有し該計量トレイ上の物品を計量する複数個の計量器と、該複数個の計量器の各々に対して設けられ、選択成功の表示と選択失敗の表示を可能とする複数個の選択表示器と、前記計量器の計量を開始させる計量開始スイッチと、少なくとも組合せの合計重量の設定値と許容値を定める入力がされる入力デバイスと、少なくとも前記設定値と前記許容値が表示される表示デバイスと、前記複数個の計量器の前記計量トレイ上に載せた物品ごとであって該物品が新しくなると初期値になる計量回数を記憶し、前記計量開始スイッチがオンされると、前記複数個の計量器に各々の物品を計量させるとともに計量結果である単重量を記憶し、前記計量回数が最も多い前記計量器における前記単重量とその他の前記計量器における前記単重量とを組合せた試算合計重量が前記設定値と前記許容値で規定される範囲にあって最も前記設定値に近いものを選択するよう繰り返し処理を用いて試行し、前記設定値と前記許容値で規定される範囲の前記試算合計重量が存在するときは前記複数個の選択表示器において選択成功の表示を、前記設定値と前記許容値で規定される範囲の前記試算合計重量が存在しないときは前記計量回数が最も多い前記計量器に対応する前記選択表示器に選択失敗の表示を行うよう制御する計量コントローラーとを備えることを特徴とする。